(57)【要約】【課題】量子ドットシートの有効領域を減らすことなく、水分等の浸入を抑制可能な表示器用バックライトを提供する。【解決手段】表示用の光を出射する光源３４０ｃと、光源からの光が入射されて、光の波長変換を行う量子ドットシート３４０ｇと、を備え、波長変換された光を情報表示用の表示器３３０に出射する表示器用バックライトにおいて、量子ドットシートの外周端面の少なくとも一部を覆うように、防湿性、且つ光反射性を有するテープ３４０ｋを設ける。  これにより、量子ドットシート内への水分等の浸入を抑制することが可能となる。よって、従来技術のような絞り領域を形成する必要がなく、量子ドットシートの有効領域が減少されることを抑制できる。【選択図】図４
2019129034.tif 000002
【特許請求の範囲】
【請求項１】
表示用の光を出射する光源（３４０ｃ）と、
前記光源からの光が入射されて、光の波長変換を行う量子ドットシート（３４０ｇ）と、を備え、
波長変換された光を情報表示用の表示器（３３０）に出射する表示器用バックライトにおいて、
前記量子ドットシートの外周端面の少なくとも一部を覆うように、防湿性、且つ光反射性を有するテープ（３４０ｋ）が設けられた表示器用バックライト。
【請求項２】
前記量子ドットシートと重なるように配置されて、前記光源からの光を前記量子ドットシートに導く導光板（３４０ｆ）を備え、
前記光源は、前記導光板の所定範囲となる外周端部側に配置されており、
前記テープは、前記量子ドットシートにおいて、前記光源が配置される側の領域を除いた領域に設けられた請求項１に記載の表示器用バックライト。
【請求項３】
前記量子ドットシートの前記光源が配置される側の領域は、前記表示器側から見たときに前記光源を覆うように延伸された請求項２に記載の表示器用バックライト。
【請求項４】
前記テープは、前記量子ドットシートの外周端面に加えて、前記導光板の外周端面にも設けられた請求項２または請求項３に記載の表示器用バックライト。
【請求項５】
前記光源は、前記量子ドットシートの面に対向するように配置されており、
前記テープは、前記量子ドットシートの外周端面の全周に設けられた請求項１に記載の表示器用バックライト。
【請求項６】
前記量子ドットシートと重なるように配置されて、前記光源からの光を拡散させる拡散プレート（３４０ｈ１）を備え、
前記テープは、前記量子ドットシートの外周端面に加えて、前記拡散プレートの外周端面にも設けられた請求項５に記載の表示器用バックライト。
【発明の詳細な説明】
【技術分野】
【０００１】
本発明は、波長変換用の量子ドットシートを備え、表示器に対して光を出射する表示器用バックライトに関するものである。
【背景技術】
【０００２】
従来技術として、例えば、特許文献１に、表示器（液晶パネル）とバックライトとの間に量子ドットシート（機能性積層フィルム）が介在されたものが記載されている。量子ドットシートは、量子ドット（機能層）が、２枚のガスバリアシートによって挟まれるように形成されている。量子ドットシートは、バックライトから入射される光の波長を変換する機能を有しており、表示器における光を高輝度にし、色再現性に優れるものとすることができるようになっている。
【０００３】
特許文献１では、量子ドットシートの外周端部には、圧縮によって絞り領域が形成されている。絞り領域においては、２枚のガスバリシートの間隔が小さく形成されて、量子ドットに対する外部からの水分や、酸素等の浸入が防止されることで、量子ドットの劣化が防止されるようになっている。
【先行技術文献】
【特許文献】
【０００４】
【特許文献１】国際公開第２０１６／０３９０８０号
【発明の概要】
【発明が解決しようとする課題】
【０００５】
しかしながら、上記特許文献１では、量子ドットシートの外周端部に絞り領域を形成するようにしているので、量子ドット（機能層）が押し潰されたような形となって充分に機能しない領域、つまり、額縁に相当するような領域が存在してしまう。
【０００６】
本発明の目的は、上記問題に鑑み、量子ドットシートの有効領域を減らすことなく、水分等の浸入を抑制可能な表示器用バックライトを提供することにある。
【課題を解決するための手段】
【０００７】
本発明は上記目的を達成するために、以下の技術的手段を採用する。
【０００８】
本発明では、表示用の光を出射する光源（３４０ｃ）と、
光源からの光が入射されて、光の波長変換を行う量子ドットシート（３４０ｇ）と、を備え、
波長変換された光を情報表示用の表示器（３３０）に出射する表示器用バックライトにおいて、
量子ドットシートの外周端面の少なくとも一部を覆うように、防湿性、且つ光反射性を有するテープ（３４０ｋ）が設けられたことを特徴としている。
【０００９】
この発明によれば、量子ドットシート（３４０ｇ）の外周端面に設けられるテープ（３４０ｋ）によって、量子ドットシート内への水分等の浸入を抑制することが可能となる。本発明では、従来技術のような絞り領域を形成する必要がなく、量子ドットシート（３４０ｇ）の有効領域が減少されることを抑制できる。
【００１０】
尚、上記各手段の括弧内の符号は、後述する実施形態記載の具体的手段との対応関係を示すものである。
【図面の簡単な説明】
【００１１】
【図１】表示装置の全体構成を示す分解斜視図である。
【図２】ディスプレイモジュールの全体構成を示す分解斜視図である。
【図３】第１実施形態のバックライトを示す正面図である。
【図４】図３のＩＶ−ＩＶ部を示す断面図である。
【図５】図３のＶ−Ｖ部を示す断面図である。
【図６】第２実施形態のバックライトを示す正面図である。
【図７】図６のＶＩＩ−ＶＩＩ部を示す断面図である。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
第１実施形態における表示器用バックライト３４０（以下、バックライト３４０）について図１〜図５を用いて説明する。本実施形態のバックライト３４０は、例えば、車両用の表示装置１に用いられている。
【００１４】
表示装置１は、例えば、車両の走行状態を示す走行情報（速度、エンジン回転数、エンジン水温、および燃料残量等）を表示するものであり、図１に示すように、枠状に形成されたフロントパネル１０と、リアケース２０との間に、ディスプレイモジュール３０と、駆動回路４０とが設けられて形成されている。
【００１５】
ディスプレイモジュール３０は、走行情報を画像によって表示する表示部となっている。ディスプレイモジュール３０に形成される画像は、フロントパネル１０の開口部を通して、ユーザに視認されるようになっている。また、駆動回路４０は、ディスプレイモジュール３０の表示状態を制御する回路部となっている。
【００１６】
更に、図２に示すように、ディスプレイモジュール３０は、フロントベゼル３１０（枠体）と、リアベゼル３２０との間に、ＴＦＴパネル３３０（Ｔｈｉｎ  Ｆｉｌｍ  Ｔｒａｎｓｉｓｔｏｒ）と、バックライト３４０とが設けられて形成されている。ＴＦＴパネル３３０は、本発明の情報表示用の表示器に対応する。
【００１７】
そして、バックライト３４０は、ＴＦＴパネル３３０に対して、画像形成のための光を出射するようになっており、バックライト３４０から出射される光と、ＴＦＴパネル３３０における表示面の複数の画素部の開閉作動によって、表示面に各種画像（各種走行情報）が発光表示（形成）されるようになっている。
【００１８】
バックライト３４０は、例えば、ＴＦＴパネル３３０に対して光を出射する出射面３４１が、横長の長方形を成して板状に形成されて、ユーザに対して立ち姿勢となるように配置されている。バックライト３４０は、図３〜図５に示すように、ＬＥＤ３４０ｃが導光板３４０ｆの面方向の端部側（サイド側）に配置される、いわゆるサイドエッジ型を成している。
【００１９】
バックライト３４０は、トップフレーム３４０ａ、リアフレーム３４０ｂ、ＬＥＤ３４０ｃ、フレキシブル基板３４０ｄ、反射シート３４０ｅ、導光板３４０ｆ、量子ドットシート３４０ｇ、拡散シート３４０ｈ、輝度上昇フィルム３４０ｉ、反射型偏光性フィルム３４０ｊ、およびテープ３４０ｋ等を備えている。ＬＥＤ３４０ｃ、およびフレキシブル基板３４０ｄを除く他の部材は、ユーザ側から見た形状が横長の長方形を成して、ユーザとは反対側（反ユーザ側）からユーザ側に向けて積層されている。
【００２０】
トップフレーム３４０ａは、枠状に形成されて、枠部の外周端から反ユーザ側に延びる壁部３４０ａ１を有している。
【００２１】
リアフレーム３４０ｂは、板状に形成されて、トップフレーム３４０ａの枠部の反ユーザ側に配置されている。リアフレーム３４０ｂの外周端には、ユーザ側に延びる壁部３４０ｂ１が形成されている。壁部３４０ａ１と壁部３４０ｂ１は、壁部３４０ａ１が外側となるようにして、互いに重なり合っている。
【００２２】
ＬＥＤ３４０ｃは、表示用の光を出射する光源であり、バックライト３４０の長方形の４辺のうち、下側となる辺（図３）に対応する領域で、壁部３４０ｂ１の内側の面上に並ぶように複数、配置されている。ＬＥＤ３４０ｃは、導光板３４０ｆの下側となる辺（４辺中の１辺）に対応する外周端面と対向している。ＬＥＤ３４０ｃの設定位置は、本発明の「導光板３４０ｆの所定範囲となる外周端部側に配置されている」に対応する。以下、バックライト３４０を形成する長方形の下側の辺を、「ＬＤＥ実装辺」と呼ぶことにする。ＬＥＤ３４０ｃは、例えば、青色発光ダイオードが使用されている。
【００２３】
フレキシブル基板３４０ｄは、ＬＥＤ３４０ｃの発光状態を制御する回路部が設けられた基板であり、壁部３４０ｂ１とＬＥＤ３４０ｃとの間に設けられている。
【００２４】
反射シート３４０ｅは、例えば、白色に着色された樹脂材料等により薄膜状に形成された反射部材であり、リアフレーム３４０ｂのユーザ側の面に設けられている。反射シート３４０ｅは、ＬＥＤ３４０ｃから出射される光を導光板３４０ｆに向けて反射させるようになっている。また、反射シート３４０ｅは、反射型偏光性フィルム３４０ｊを通過できずに、反射シート３４０ｅ側に戻る光を、反射させて、再び反射型偏光性フィルム３４０ｊ側に入射させるようになっている。
【００２５】
導光板３４０ｆは、透明材料、例えばアクリル樹脂等から形成された板状の導光部材であり、反射シート３４０ｅのユーザ側の面に設けられている。導光板３４０ｆは、ＬＥＤ３４０ｃからの光と、反射シート３４０ｅで反射された光を、量子ドットシート３４０ｇ、およびＴＦＴパネル３３０に導くと共に、量子ドットシート３４０ｇ、およびＴＦＴパネル３３０を均一な明るさで照射するようになっている。
【００２６】
量子ドットシート３４０ｇは、導光板３４０ｆを介して入射されるＬＥＤ３４０ｃの光の波長を変換して、ＴＦＴパネル３３０側に出射することで、ＴＦＴパネル３３０における画像の高輝度、高色再現性を実現する光学シートとなっている。量子ドットシート３４０ｇは、多数の量子ドットを分散させた樹脂フィルムの両面に、バリアフィルムが積層されて形成されている。量子ドットシート３４０ｇは、導光板３４０ｆのユーザ側の面に設けられている。よって、導光板３４０ｆは、量子ドットシート３４０ｇと、直接的に重なるように配置されている。
【００２７】
また、量子ドットシート３４０ｇにおいて、ＬＥＤ３４０ｃが配置される側の領域、つまりＬＥＤ実装辺に対応する側の領域は、ＴＦＴパネル３３０側（ユーザ側）から見て、ＬＥＤ３４０ｃを覆うように延伸されている（図５）。
【００２８】
拡散シート３４０ｈは、透光性の樹脂材料により薄膜状に形成されており、量子ドットシート３４０ｇのユーザ側の面に設けられている。拡散シート３４０ｈは、例えば、表面に形成された凹凸により、量子ドットシート３４０ｇ側から入射した光を、拡散しつつユーザ側を向く面から射出するようになっている。
【００２９】
輝度上昇フィルム３４０ｉは、拡散シート３４０ｈのユーザ側の面に設けられ、拡散シート３４０ｈで拡散された光を、ＴＦＴパネル３３０側（ユーザ側）に向けて集光するフィルムとなっている。
【００３０】
反射型偏光性フィルム３４０ｊは、輝度上昇フィルム３４０ｉのユーザ側の面に設けられ、所定の振動方向の光のみを透過させることで、出射光を偏光させるフィルムとなっている。
【００３１】
テープ３４０ｋは、防湿性、および光反射性を有しており、長方形を成す量子ドットシート３４０ｇの外周端面の少なくとも一部を覆うように設けられている。量子ドットシート３４０ｇは、例えば、白色のテープが用いられて、本実施形態では、長方形の４辺のうち、ＬＥＤ実装辺に対応する領域（ＬＥＤ３４０ｃが配置される側の領域）を除いた領域、つまり、長方形の残りの３辺の外周端面に設けられている（貼付けされている）。
【００３２】
加えて、本実施形態では、テープ３４０ｋは、量子ドットシート３４０ｇと重なって配置されている導光板３４０ｆ側に延設されて、導光板３４０ｆのＬＥＤ実装辺を除く３辺の外周端面にも設けられている（貼付けされている）。つまり、量子ドットシート３４０ｇと導光板３４０ｆとの３辺に対応する外周端面は、一本のテープ３４０ｋによって覆われている。
【００３３】
本実施形態の表示装置１、およびバックライト３４０は、上記のような構成となっており、以下、作動および作用効果について説明する。
【００３４】
バックライト３４０において、ＬＥＤ３４０ｃが点灯されると、ＬＥＤ３４０ｃからの光は、反射シート３４０ｅで反射して、導光板３４０ｆによって量子ドットシート３４０ｇに導かれる。量子ドットシート３４０ｇでは、光の波長の変換が行われる。量子ドットシート３４０ｇの波長変換機能によって、ＬＥＤ３４０ｃからの青色光が量子ドットシート３４０ｇで緑色と赤色に変換される。それにより量子ドットシート３４０ｇを通過した光は、青色光と緑色光と赤色光の重ね合せにより白色光を成している。
【００３５】
そして、量子ドットシート３４０ｇから出射される光は、拡散シート３４０ｈで拡散され、輝度上昇フィルム３４０ｉで集光され、更に反射型偏光性フィルム３４０ｊで偏光されて、ＴＦＴパネル３３０に至る。量子ドットシート３４０ｇにて、光の波長の変換が行われることで、ＴＦＴパネル３３０における画像の輝度、色再現性等の向上が図られる。
【００３６】
本実施形態では、サイドエッジ型のバックライト３４０としていることから、ＬＥＤ実装辺を除く量子ドットシート３４０ｇの３辺の外周端面にテープ３４０ｋを設けている。これにより、量子ドットシート３４０ｇ内への水分等の浸入を抑制することが可能となる。本実施形態では、従来技術のような絞り領域を形成する必要がなく、量子ドットシート３４０ｇの有効領域が減少されることを抑制できる。つまり、額縁に相当するような領域が形成されてしまうことを抑制できる。
【００３７】
また、本実施形態では、ＬＥＤ実装辺に対応する領域の量子ドットシート３４０ｇを、ＴＦＴパネル３３０側（ユーザ側）から見てＬＥＤ３４０ｃを覆うように延伸させている。これにより、ＬＥＤ３４０ｃから直接的にＴＦＴパネル３３０側に向かう光を、確実に量子ドットシート３４０ｇに透過させることができる。
【００３８】
また、ＬＥＤ実装辺を除く３辺において、量子ドットシート３４０ｇの外周端面に加えて、導光板３４０ｆの外周端面にもテープ３４０ｋを設けるようにしている。これにより、導光板３４０ｆの外周端面から漏れて、量子ドットシート３４０ｇを通らずにＴＦＴパネル３３０側に向かう光の発生（光の漏れ）を無くすことができる。
【００３９】
尚、導光板３４０ｆにテープ３４０ｋを設けない場合、光の漏れを無くすために、反射シート３４０ｅの外周部を導光板３４０ｆの外周端面側に折り曲げることが考えられるが、量子ドットシート３４０ｇのテープ３４０ｋを導光板３４０ｆ側にも流用することで、反射シート３４０ｅに余分な加工をすることが不要となる。
【００４０】
また、量子ドットシート３４０ｇと導光板３４０ｆの両外周端面にテープ３４０ｋを設けるようにしているので、厚み方向の寸法を大きくして、テープ３４０ｋを設ける（貼り付ける）際の作業性を向上させることができる。
【００４１】
（第２実施形態）
第２実施形態のバックライト３４０Ａを図６、図７に示す。第２実施形態のバックライト３４０Ａは、上記第１実施形態のサイドエッジ型から、直下型にしたものである。
【００４２】
バックライト３４０Ａは、リアケース３４０ｌ内に、反ユーザ側からユーザ側に向けて、反射シート３４０ｅ、ＬＥＤ３４０ｃ、拡散プレート３４０ｈ１、量子ドットシート３４０ｇ、輝度上昇フィルム３４０ｉ、および反射型偏光性フィルム３４０ｊが順に配置されて形成されている。
【００４３】
バックライト３４０Ａは、ＬＥＤ３４０ｃが、拡散プレート３４０ｈ１、および量子ドットシート３４０ｇの面に対向するように配置される、いわゆる直下型を成している。よって、ＬＥＤ３４０ｃからの光は、直接的にユーザ側（量子ドットシート３４０ｇ）側に出射されるので、本実施形態では、上記第１実施形態のような導光板３４０ｆは使用されておらず、反射シート３４０ｅと拡散プレート３４０ｈ１との間は、空気層となっている。
【００４４】
リアケース３４０ｌは、有底筒状を成しており、リアケース３４０ｌの筒状の内周面は、反ユーザ側からユーザ側に向けて、途中で内側寸法が大きくなるように段差が設けられている。内側寸法の小さい領域において、リアケース３４０ｌの底面には、反射シート３４０ｅ、およびＬＥＤ３４０ｃが配置されている。反射シート３４０ｅは、リアケース３４０ｌの底面から内周面に向けて折曲げされるように設けられており、ＬＥＤ３４０ｃから内周面側に向かう光をユーザ側（量子ドットシート３４０ｇ側）に反射させるようになっている。
【００４５】
また、内側寸法の大きい領域には、拡散プレート３４０ｈ１、量子ドットシート３４０ｇ、輝度上昇フィルム３４０ｉ、および反射型偏光性フィルム３４０ｊが配置されている。拡散プレート３４０ｈ１、量子ドットシート３４０ｇ、輝度上昇フィルム３４０ｉ、および反射型偏光性フィルム３４０ｊの四角形状は、リアケース３４０ｌ底面より大きく設定されている。
【００４６】
そして、本実施形態では、直下型であることから、量子ドットシート３４０ｇの外周端面の全周に渡って、テープ３４０ｋが設けられている（貼付けされている）。更に、テープ３４０ｋは、量子ドットシート３４０ｇと重なって配置されている拡散プレート３４０ｈ１側に延設されて、拡散プレート３４０ｈ１の外周端面の全周にも設けられている（一本のテープ３４０ｋで貼付けされている）。
【００４７】
本実施形態では、上記第１実施形態と同様に量子ドットシート３４０ｇの外周端面にテープ３４０ｋを設けており、量子ドットシート３４０ｇ内への水分等の浸入を抑制することが可能となる。
【００４８】
加えて、エッジ型（直下型）のバックライト３４０Ａとしていることから、ＬＥＤ３４０ｃの配置に基づく影響を受けることなく、量子ドットシート３４０ｇの外周端面の全周にテープ３４０ｋを設けることができ、量子ドットシート３４０ｇ内への水分等の浸入を、更に効果的に抑制することが可能となる。
【００４９】
また、量子ドットシート３４０ｇの外周端面の全周に加えて、拡散プレート３４０ｈ１の外周端面にもテープ３４０ｋを設けるようにしている。これにより、拡散プレート３４０ｈ１の外周端面から漏れて、量子ドットシート３４０ｇを通らずにＴＦＴパネル３３０側に向かう光の発生（光の漏れ）を無くすことができる。
【００５０】
また、量子ドットシート３４０ｇと拡散プレート３４０ｈ１の両外周端面にテープ３４０ｋを設けるようにしているので、厚み方向の寸法を大きくして、テープ３４０ｋを設ける（貼り付ける）際の作業性を向上させることができる。
【００５１】
（その他の実施形態）
上記各実施形態では、量子ドットシート３４０ｇと導光板３４０ｆ、あるいは量子ドットシート３４０ｇと拡散プレート３４０ｈ１の両者にテープ３４０ｋを設けるようにした。しかしながら、本発明は、基本的に、量子ドットシート３４０ｇ内への水分等の浸入を抑制するものであるので、量子ドットシート３４０ｇのみにテープ３４０ｋが設けられるものとしてもよい。
【００５２】
また、上記第１実施形態において、量子ドットシート３４０ｇは、ＬＥＤ３４０ｃを覆うために延伸されるようにしたが、これに限定されるものではない。
【００５３】
また、上記第２実施形態において、量子ドットシート３４０ｇと拡散プレート３４０ｈ１との配置は、積層方向において、両者が逆となるようにしてもよい。
【００５４】
また、上記各実施形態では、車両用の表示装置１に用いられるバックライト３４０としたが、家庭用や商業用等、他の表示装置に用いられるものに適用してもよい。
【符号の説明】
【００５５】
３３０  ＴＦＴパネル（表示器）
３４０  表示器用バックライト
３４０ｃ  ＬＥＤ（光源）
３４０ｆ  導光板
３４０ｇ  量子ドットシート
３４０ｈ  拡散シート
３４０ｈ１  拡散プレート
３４０ｋ  テープ
【図１】
2019129034.tif 000003
【図２】
2019129034.tif 000004
【図３】
2019129034.tif 000005
【図４】
2019129034.tif 000006
【図５】
2019129034.tif 000007
【図６】
2019129034.tif 000008
【図７】
2019129034.tif 000009